(57)【特許請求の範囲】
【請求項１】
光源と、
前記光源からの光を透過することで意匠を表示する意匠部と、を備え、
前記意匠部は、前記光源からの光を透過する量を前記意匠部の範囲の一端部にある第１箇所から前記一端部とは相対する前記意匠部の範囲の他端部にある第２箇所に向けて徐々に少なくし、さらに、前記光源からの光を透過する量を前記第１箇所と前記第２箇所とが形成される方向とは異なる方向の前記意匠部の範囲の他の一端部にある第３箇所から前記他の一端部とは相対する前記意匠部の範囲の他の他端部にある第４箇所に向けて徐々に少なくし、
前記意匠部に向けて凸になった反射曲面によって、前記意匠部に到達する光の量が前記第１箇所から前記第２箇所に向けて徐々に少なくなるように前記光源からの光を前記意匠部に向けて反射し、さらに、前記意匠部に到達する光の量が前記第３箇所から前記第４箇所に向けて徐々に少なくなるように前記光源からの光を前記意匠部に向けて反射する反射部材を設けた、
ことを特徴とする表示装置。
【請求項２】
前記反射部材は、前記光源と前記第１箇所とを結ぶ直線から外れた位置に配置されている、
ことを特徴とする請求項１に記載の表示装置。
【請求項３】
前記反射曲面は、円錐面と円筒面とのいずれか、又は、円錐面と円筒面との組み合わせで構成されている、
ことを特徴とする請求項１または２に記載の表示装置。
【請求項４】
前記光源は、色の異なる光源を切り替え可能に構成される、
ことを特徴とする請求項１乃至３のいずれかに記載の表示装置。
【請求項５】
前記反射部材は、計器装置の計器部の指標部の外側に配置されて構成される、
ことを特徴とする請求項１乃至４のいずれかに記載の表示装置。
【発明の詳細な説明】
【技術分野】
【０００１】
本発明は、表示装置に関する。
【背景技術】
【０００２】
従来の表示装置として、例えば、下記特許文献１に開示された指示計器がある。
特許文献１に開示された指針計器は、表示板に目盛りや数値などを表示する意匠部（指標部）を備えている。表示板には、意匠部を構成する透過照明可能な領域とは別に透過印刷層を備えている。透過印刷層の前面側には、グラデーションによる印刷層からなる透過光量調整層が設けてある。
これにより、光源からの光を、表示板の意匠部を透過して照明することで、透過印刷層をグラデーション表示するようにし、表示板全体が立体的に見え、見栄えを良好にしている。
【先行技術文献】
【特許文献】
【０００３】
【特許文献１】特開２００３−２２２５３８号公報
【発明の概要】
【発明が解決しようとする課題】
【０００４】
特許文献１に記載の指針計器では、表示板の意匠部を透過照明する光は、光源からの光を表示板の意匠部の裏側に配置した計器の中ケースによって均一な明るさ（光量）にして用いている。この表示板の意匠部のグラデーションによる明るさの変化を大きくしようとすると、例えば、グラデーション印刷のドットの大きさを大きくする方法やドットの配列方向や形状を変えたりしなければならない。
このため、表示板の印刷層だけでは、透過する光の量を徐々に少なくした意匠部の明るさの変化を簡単に変えることができず、明るさの変化を大きくすることに限界が生じたり、連続的に明るさを変化させることができず、表示板の意匠部を透過する光の量を徐々に少なくすることで明るさを変える表示に、改善の余地がある。
【０００５】
本発明は上記実情に鑑みてなされたものであり、透過照明される意匠部を透過する光の量を徐々に少なくすることで、明るさを簡単に変えることができる表示装置を提供することを目的とする。
【課題を解決するための手段】
【０００６】
上記目的を達成するために、本発明に係る表示装置は、
光源と、
前記光源からの光を透過することで意匠を表示する意匠部と、を備え、
前記意匠部は、前記光源からの光を透過する量を前記意匠部の範囲の一端部にある第１箇所から前記一端部とは相対する前記意匠部の範囲の他端部にある第２箇所に向けて徐々に少なくし、さらに、前記光源からの光を透過する量を前記第１箇所と前記第２箇所とが形成される方向とは異なる方向の前記意匠部の範囲の他の一端部にある第３箇所から前記他の一端部とは相対する前記意匠部の範囲の他の他端部にある第４箇所に向けて徐々に少なくし、
前記意匠部に向けて凸になった反射曲面によって、前記意匠部に到達する光の量が前記第１箇所から前記第２箇所に向けて徐々に少なくなるように前記光源からの光を前記意匠部に向けて反射し、さらに、前記意匠部に到達する光の量が前記第３箇所から前記第４箇所に向けて徐々に少なくなるように前記光源からの光を前記意匠部に向けて反射する反射部材を設けた、
ことを特徴とする。
【発明の効果】
【０００７】
本発明によれば、透過照明される意匠部を透過する光の量を徐々に少なくして明るさを簡単に変えることができる。
【図面の簡単な説明】
【０００８】
【図１】本発明の表示装置の一実施形態に係る計器装置とともに示す正面図である。
【図２】本発明の表示装置の一実施形態に係る図１中のＡ−Ａ断面図である。
【図３】本発明の表示装置の一実施形態に係る図１中のＢ−Ｂ断面図である。
【図４】本発明の表示装置の一実施形態に係る透過光調整部材の部分平面図および部分斜視図である。
【図５】本発明の表示装置の一実施形態に係る明るさの変化の説明図である。
【発明を実施するための形態】
【０００９】
本発明の一実施形態に係る表示装置を、図面を参照して詳細に説明する。
本実施形態の表示装置１は、例えば自動車や二輪車等の車両用の計器装置１００に組み込まれるものである。ここでは、まず、計器装置１００の構成を説明し、その後、表示装置１について説明する。
なお、以下の説明では、表示装置１および計器装置１００を正面視したとき（つまり、ユーザーが表示装置１を正面から見て計測値などの意匠部（指標部）を確認する場合）の視認側を「表」といい、背面側を「裏」という。
【００１０】
計器装置１００は、搭載される車両に関する各種情報を報知する複合計器として構成され、図１および図２に示すように、第１の計器部１０と、第２の計器部２０と、表示ディスプレイ３０と、回路基板４０と、中ケース５０と、表示板６０と、計器用光源７０と、下ケース８０と、を備える。
【００１１】
（計器装置１００）
第１の計器部１０は、例えば指針式のスピードメータであり、目盛り、数値等の図示しない意匠部（指標部）と、この意匠部（指標部）を指示する指針１１とを対比判読させることにより車速を報知する。指針１１は、その回転中心となる回転中心部１１ａと回転中心部１１ａから放射方向に突き出した指示部１１ｂとが，例えば、ＰＭＭＡ（Polymethymethacrylate）等の透明樹脂で一体に形成されている。回転中心部１１ａは、遮光性の所定の合成樹脂からなる指針キャップ１１ｃで覆われている。指示部１１ｂは、後述する指針用光源７２の光を受けて発光するものである。指針１１は、駆動部であるステッピングモータ１２の回転軸１２ａに連結されて回転駆動される。
【００１２】
第２の計器部２０は、例えば、指針式のタコメータであり、目盛り、数値等の図示しない意匠部（指標部）と、この意匠部（指標部）を指示する指針２１とを対比判読させることによりエンジンの回転数を報知する。第２の計器部２０の構成は第１の計器部１０と同様であるため、以下の説明は省略する。
【００１３】
表示ディスプレイ３０は、液晶ディスプレイ（ＬＣＤ：Liquid Crystal Display）、有機ＥＬディスプレイ（ＯＥＬＤ：Organic Electro-Luminescence Display）等からなり、例えば、車両に関する各種情報を示す画像を表示する。一例として、表示ディスプレイ３０は、表示画像により走行距離を報知するオドメーターとして機能する。
【００１４】
回路基板４０は、図２に示すように、例えば、ガラスエポキシ樹脂（Glass Fiber Reinforced Plastics）からなる絶縁性を有する板状の基材に各種配線がプリントされている。回路基板４０には、各種電子部品が実装されている。
回路基板４０に実装される各種電子部品は、計器装置１００の各部の動作を制御する制御部（図示しないマイクロコンピュータ等）、指針１１を回転駆動するステッピングモータ１２、各種電子部品に接続される回路を構成する抵抗やコンデンサ、計器用光源７０である表示板６０を照明するための表示板用光源７１や指針用光源７２などである。
制御部は、計器装置１００の外部装置（例えば、車両のＥＣＵ（Electronic Control Unit））から車両の速度等の車両情報を取得し、取得した情報に基づいて、表示板用光源７１や指針用光源７２を点灯／消灯させたり、指針１１を回転駆動するステッピングモータ１２を動作させる。
表示板用光源７１や指針用光源７２は、図２に示すように、回路基板４０の表側に実装されている。また、図示しないが、制御部は、回路基板４０の表側に実装され、ステッピングモータ１２は、回路基板４０の裏側に実装されている。
【００１５】
中ケース５０は、回路基板４０の表側に位置し、複合計器を構成する第１の計器部１０、第２の計器部２０、表示ディスプレイ３０などを収納し、表示板６０などの計器装置１００を構成する部品を保持する。中ケース５０は、例えば、ポリプロピレン（Polypropylene）などの樹脂により白色に形成される。
中ケース５０は、図２に第１の計器部１０の断面構造を示すように、中心部に形成される内筒部５１と、外周側の外筒部５２とこれらをつなぐ連結部５３と、を備えている。
中ケース５０の中央部の内筒部５１の内側には、指針１１の回転中心部１１ａが位置し、円周上の指針用光源７２の光を、指針１１の回転軸を中心とする径方向に拡がらないように遮蔽しながら、指針１１を発光させる。
中ケース５０の内筒部５１、外筒部５２および連結部５３とで形成される空間は、第１の計器部１０に対応する表示板６０の裏側を囲む照明空間５４を構成する。照明空間５４内には、表示板用光源７１が設けられ、例えば、円周上等間隔に表示板用光源７１を配置し、外筒部５２および連結部５３の形状を、例えば、お椀形状の略凹曲面とし、均一な光として表示板６０の裏側から透過させて照明を行う。照明空間５４は、表示板用光源７１の消灯時には、遮光されて暗所状態となる。
【００１６】
表示板６０は、所定の樹脂、例えば、ポリカーボネイト樹脂により形成された透光性を有する板材と、この板材の表側及び／又は裏側に形成された遮光性の印刷層と、から構成されている。印刷層の一部は抜き文字状となっており、表示板６０において、指針１１の指示対象である数値、目盛り等の図示しない意匠部（指標部）を形成している。なお、抜き文字状の部分に、透光性の印刷層を形成しても良い。また、表示板６０には、表示ディスプレイ３０の表示領域を視認可能とするための開口部６１（図１参照）が設けられている。
【００１７】
計器用光源７０は、表示板用光源７１と指針用光源７２とを備える。表示板用光源７１は、表示板６０を透過照明するためのものである。指針用光源７２は、指針１１を発光させるためのものである。表示板用光源７１および指針用光源７２は、例えば、ＬＥＤ（Light Emitting Diode）から構成されている。表示板用光源７１および指針用光源７２は、回路基板４０の表側に実装されている。
表示板用光源７１は、指針１１の回転中心部１１ａの軸線を中心とし、中ケース５０の内筒部５１より外側（大径）の円周上等間隔に並べて全周に複数配置されている。表示板用光源７１からの光は、導光板７０ａを介して導光され、表示板６０を透過して意匠部（指標部）を照明する。
指針用光源７２は、指針１１の回転中心部１１ａの軸線を中心とし、中ケース５０の内筒部５１の内側（小径）の円周上等間隔に並べて指針１１の回動範囲に対応して複数配置されている。指針用光源７２からの光は、指針１１の回転中心部１１ａに入射され、指針１１の指示部１１ｂを発光させる。
表示板用光源７１と指針用光源７２は、中ケース５０の内筒部５１でそれぞれが遮光されて表示板６０を照明し、指針１１を発光する。
【００１８】
計器装置１００は、表示板６０の表側に見返し部材（図示せず）を備えており、計器装置１００の不要箇所を隠すようにしている。見返し部材は、例えば、ＡＢＳ（Acrylonitrile Butadiene Styrene copolymer）などの樹脂を用い、例えば、黒色とされて遮光性を有している。見返し部材には、第１の計器部１０、第２の計器部２０、及び表示ディスプレイ３０を覗かせる開口部が設けられており、これらの開口部を塞ぐように透明板（図示せず）、例えば、ガラスが取り付けられている。
【００１９】
下ケース８０は、回路基板４０を挟んで中ケース５０の裏側に位置する。下ケース８０と、透明板で塞がれた見返し部材と、が組み合わされることで、略箱状になり計器装置１００の筐体を構成する。
【００２０】
このような計器装置１００によれば、表示板６０の意匠部（指標部）は、表示板用光源７１により透過照明がなされる。すなわち、指針１１の指示対象である数値、目盛り等の図示しない意匠部（指標部）が形成された表示板６０の裏側（背面側）には、中ケース５０の内筒部５１、外筒部５２および連結部５３とで形成される照明空間５４が配置されている。照明空間５４内には、円周上等間隔に表示板用光源７１が配置されて回路基板４０上に設けてある。
これにより、表示板用光源７１からの光は、導光板７０ａを介して照明空間５４に出射され、照明空間５４の形状、例えば、お椀形状の略凹曲面形状によって均一な光として表示板６０の裏側から照射され、表示板６０の意匠部が透過照明される。
【００２１】
（表示装置１）
次に、本実施形態にかかる表示装置１について説明する。
本実施形態の表示装置１は、図１に示すように、計器装置１００に組み込まれ、計器装置１００のデザイン性を高める加飾照明として用いられている。
本実施の形態では、表示装置１は、図３に示すように、光源２と、光源２からの光を透過することで意匠を表示する意匠部３と、を備えており、意匠部３は、図１に示すように、光源２からの光を透過する量を第１箇所４ａおよび第３箇所４ｃから第２箇所４ｂおよび第４箇所４ｄに向けて徐々に少なく形成され、さらに、意匠部３に向けて凸になった反射曲面５ａと、反射曲面５ｂ（図４参照）とによって、意匠部３に到達する光の量が第１箇所４ａおよび第３箇所４ｃから第２箇所４ｂおよび第４箇所４ｄに向けて徐々に少なるように光源２からの光を意匠部３に向けて反射する反射部材５を備えて構成されている。
【００２２】
ここで、光源２からの光を透過する量を第１箇所４ａおよび第３箇所４ｃから第２箇所４ｂおよび第４箇所４ｄに向けて徐々に少なくして形成される意匠部３は、例えば、グラデーション印刷部４で構成することができる。すなわち、意匠部３は、例えば、グラデーション印刷部４で構成し、グラデーション印刷部４の明るい箇所を第１箇所４ａとし、グラデーション印刷部４の暗い箇所を第２箇所４ｂとするのに加え、さらに、グラデーション印刷部４の明るい箇所を第３箇所４ｃとし、グラデーション印刷部４の暗い箇所を第４箇所４ｄとしてある。
以下の説明では、意匠部３の光源２からの光を透過する量を、第１箇所４ａから第２箇所４ｂに向けて徐々に少なくすることを、説明を簡素化するため、グラデーション印刷部４の濃淡（明るさの変化）および意匠部３を透過する光量の変化として説明する場合もある。
【００２３】
表示装置１では、図５に示すように、意匠部３の光の透過量の変化、例えばグラデーション印刷部４による透過光量の変化と、反射部材５の反射曲面５ａ，５ｂ（図４参照）によって光源２から意匠部３のグラデーション印刷部４に到達する光の量を変化させることと、を組み合わせるようにし、表示装置１での意匠部３を透過する光量の変化を大きくできるようにしている。
【００２４】
光源２は、意匠部３を透過照明するためのものである。透過照明用の光源２は、例えば、ＬＥＤから構成されている。透過照明用の光源２は、意匠部３を構成するグラデーション印刷部４の明るい箇所（第１箇所）４ａおよび（第３箇所）４ｃと対向して配置される。すなわち、グラデーション印刷部４の明るく透過照明する側（第１、第３箇所４ａ、４ｃ）に対向して透過照明用の光源２自体を配置したり、透過照明用の光源２からの光を導光部材（図示せず）で導光し、必要に応じてシボなどで反射させてグラデーション印刷部４の明るく透過照明する箇所（第１箇所）４ａおよび（第３箇所）４ｃに対向して入射できるようにする。透過照明用の光源２は、例えば、表示装置１が組み込まれる計測装置１００と共用の回路基板４０の表側に実装される。
光源２は、後述する照明室７の開口部８に配置されて、計器装置１００の計器用光源７０の表示板用光源７１および指針用光源７２は、後述する照明室７によって遮光（区画）されている。
透過照明用の光源２は、任意の色のものが用いられ、例えば、デザイン性を考慮した一色とする場合に限らず、複数の色の光源２を設けて点灯を切り替えて使用しても良い。
【００２５】
意匠部３は、例えば、表示装置１が組み込まれる計器装置１００と共用の表示板６０に設けられる。表示板６０は、すでに説明したように、例えば、所定の樹脂、例えばポリカーボネイト樹脂により形成された透光性を有する板材と、この板材の表側及び／又は裏側に形成された遮光性の印刷層と、から構成される。計器装置１００の表示板６０の板材の一部分に意匠部３が設けられる。すなわち、意匠部３は、例えば、表示板６０の板材上に印刷層として設けられ、グラデーション印刷部４を印刷することで、第１箇所４ａ，第３箇所４ｃの明るい箇所から第２箇所４ｂ、第４箇所４ｄの暗い箇所に向けて徐々に透過する光の量が少なくなるように形成してある。
漸次明るさが変化するように形成されるグラデーション印刷部４は、例えば、遮光性の印刷層に、透光性のドットを、密度を変えて印刷して形成したり、逆に透光性の印刷層に、黒色などの遮光性のドット(網点）を、密度を変えて印刷することで、第１箇所４ａ、第３箇所４ｃの明るい箇所から第２箇所４ｂ、第４箇所４ｄの暗い箇所に向けて徐々に明るさが変化するように形成される。
【００２６】
本実施形態では、グラデーション印刷部４は、例えば図１に示すように、紙面上における２つの方向に形成してあり、上下方向と左右方向に透光性のドットを印刷してある。すなわち、グラデーション印刷部４は、下方（第１箇所）４ａおよび右方（第３箇所）４ｃのドットの密度を密にして明るさを明るくし、上方（第２箇所）４ｂおよび左方（第４箇所）４ｄになるに従ってドットの密度を連続的に粗として徐々（連続的）に明るさが暗くなるようにしてある。なお、計器装置１００の左側のグラデーション印刷部４は、明暗の配置が右側とは対称となっている。
すなわち、意匠部３の第１箇所４ａは、表示装置１の意匠を表示すべき意匠部３の範囲、例えば加飾照明すべき範囲の一端部に形成され、第２箇所４ｂは、表示装置１の意匠を表示すべき意匠部３の範囲、例えば加飾照明すべき範囲である意匠部３の他端部に形成される。
また、意匠部３の第３箇所４ｃは、第１箇所４ａと第２箇所４ｂとが形成される方向とは異なる方向の表示装置１の意匠を表示すべき意匠部３の範囲、例えば加飾照明すべき範囲の一端部に形成され、第４箇所４ｄは、第１箇所４ａと第２箇所４ｂとが形成される方向とは異なる方向の表示装置１の意匠を表示すべき意匠部３の範囲、例えば加飾照明すべき範囲の他端部に形成される。
本実施形態では、右側の加飾照明すべき範囲である意匠部３において、表示板６０の加飾照明すべき下方端に第１箇所４ａが形成され、加飾照明すべき上方端に第２箇所４ｂが形成されて、第１箇所４ａと第２箇所４ｂとの間が徐々に光源２からの光の透過量が少なくなるように形成してある。また、表示板６０の加飾照明すべき意匠部３の右方端に第３箇所４ｃが形成され、加飾照明すべき左方端に第４箇所４ｄが形成されて、第３箇所４ｃと第４箇所４ｄとの間が徐々に光源２からの光の透過量が少なくなるように形成してある。
【００２７】
なお、意匠部３の第１箇所４ａと第２箇所４ｂの配置および方向や第３箇所４ｃと第４箇所４ｄの配置および方向は、任意に変更可能であり、徐々に光の透過する量が少なくなるように形成すれば良い。
また、本実施形態では、意匠部３は、計器装置１００の表示板６０を共用し、計器装置１００の表示板６０の一部分に意匠部３としてグラデーション印刷部４を印刷するようにしたが、別に設けた表示板にグラデーション印刷部４を設けるようにしても良い。
【００２８】
反射部材５は、透過照明用の光源２からの光を、表示板６０の意匠部３のグラデーション印刷部４の濃淡（明るさの変化）に応じて光量を変化させるためのものである。すなわち、グラデーション印刷部４の明るい側（第１箇所や第３箇所）４ａ，４ｃを一層明るくし、暗い側（第２箇所や第４箇所）４ｂ，４ｄを一層暗くすることで、グラデーションの濃淡（明るさの変化）を強めて透過照明するものである。
この反射部材５は、表示板２の背面側、すなわち表示板６０のグラデーション印刷部４の裏側の中ケース６によって形成される照明室７に配置され、例えば、中ケース６と一体に形成される。照明室７が形成される中ケース６は、計器装置１００の中ケース５０と共用されており、中ケース５０の一部が中ケース６とされて回路基板４０の表側に配置されている。照明室７は、表示板用光源７１で照明される照明空間５４とは遮光（区画）されている。反射部材５は、図４に示すように、グラデーション印刷部４の濃淡（明るさの変化）に応じて、表示板６０側に向けて凸状の曲面形状の反射曲面５ａ，５ｂで構成される。
例えば、図１に示すグラデーション印刷部４のように、紙面の上下方向の濃淡（明るさの変化）と、左右方向の濃淡（明るさの変化）を組み合わせてグラデーション印刷部４が形成される場合には、上下方向に対する凸曲面状の反射曲面５ａと左右方向に対する凸曲面状の反射曲面５ｂとを組み合わせた逆お椀形状の凸曲面形状としてある。
反射曲面５ａは、図４に示すように、表示板（符号６０のみを想像線で示す）左右方向に中心軸を有する円筒曲面で構成されている。また、反射曲面５ｂは、図４に示すように、表示板（６０）の左右方向に中心軸を有し、右端に頂点を有する円錐面で構成されている。
【００２９】
本実施形態では、照明室７のグラデーション印刷部４の明るい側（第１箇所）４ａ、（第３箇所）４ｃから暗い側（第２箇所）４ｂ、（第４箇所）４ｄの半分程度は、開口部８として反射部材５を配置せず、透過照明用光源２の光が直接意匠部３のグラデーション印刷部４の明るい側（第１箇所）４ａ、（第３箇所）４ｃに照射されるようにしてある。すなわち、反射部材５の反射曲面５ａ，５ｂは、光源２とグラデーション印刷部４の明るい側（第１箇所）４ａ，（第３箇所）４ｃとを結ぶ直線から外れた位置に配置してある。これにより、光源２からの光を、反射部材５で遮ることなく、グラデーション印刷部４の明るい側（第１箇所）４ａ、（第３箇所）４ｃに直接照射することができる。
【００３０】
反射部材５によれば、グラデーション印刷部４の濃く暗い側（第２箇所）４ｂおよび（第４箇所）４ｄへは、光源２からの光を分散・反射させることができ、光量を減らすように調整する。一方、グラデーション印刷部４の淡く明るい側（第１箇所）４ａおよび（第３箇所）４ｃへは、光源２からの光を開口部８から直接照射するとともに、暗い側（第２箇所）４ｂおよび（第４箇所）４ｄの分散・反射された光を組み合わせて照射することで、光量を増すように調整する。
【００３１】
また、本実施の形態では、反射部材５は、照明室７内に設けてあるので、反射部材５で分散・反射される光源２からの光は、照明室７の壁面（中ケース６）によっても反射され、一層光源２から意匠部３への光量をグラデーション印刷部４の明るさの変化に応じて変化させることができる。すなわち、照明室７の壁面を反射面とすることで、光量の調整範囲を増大することができる。
【００３２】
表示装置１では、計器装置１００と同様に、表示板６０の表側に見返し部材（図示せず）を備え、表示装置１の不要箇所を隠すようにし、開口部を塞ぐように透明板（図示せず）、例えば、ガラスが取り付けられている。また、回路基板４０を挟んで中ケース６の裏側に下ケース９が配置され、下ケース９と透明板で塞がれた見返し部材とが組み合わされることで、略箱状になり、表示装置１の筐体が構成されている。なお、本実施の形態では、下ケース９、見返し部材、ガラスが計器装置１００の下ケース８０、見返し部材、ガラスとそれぞれ共用されている。
【００３３】
このように構成した表示装置１によれば、意匠部３としてグラデーション印刷部４を形成するとともに、意匠部３を透過照明する透過照明用光源２からの光を反射曲面５ａ，５ｂを備えた反射部材５によってグラデーション印刷部４の濃淡（明るさの変化）に応じた光量に調整して照射することができる。
これにより、図５に示したように、グラデーション印刷部４の濃淡（明るさの変化）だけでなく、透過照明用の光源２の光量を調整することによってもグラデーションの濃淡（明るさの変化）を強調することができ、表示装置１での透過照明される意匠部３のグラデーションの明るさを簡単に変えることができる。
したがって、これまでグラデーション印刷工程のみで設計していたグラデーション印刷部４の濃淡の調整を意匠部３のグラデーション印刷部４と反射部材５とによって調整することができ、グラデーション印刷部４の設計の自由度が増大し、設計を簡素化することができる。
【００３４】
なお、上記の実施形態では、意匠部３のグラデーション印刷部４の濃淡（明るさの変化）の方向を、図１に示したように、紙面の上下方向４ａ，４ｂおよび左右方向４ｃ、４ｄとし、反射部材５の反射曲面５ａ，５ｂの凸曲面の形状をお椀形状の凸曲面形状としたが、グラデーション印刷部４の濃淡の方向を変える場合には、反射部材５の反射曲面の凸曲面の形状を対応して変更すれば良い。
【００３５】
例えば、図示省略したが、意匠部３のグラデーション印刷部４の濃淡（明るさの変化）を、図１における紙面の左右方向にのみ濃淡を形成し、紙面上に透光性のドットを印刷することで、明るい箇所（第１箇所）４ａを右端とし、右方のドットの密度を密にして明るさを明るくし、暗い箇所（第２箇所）４ｂを左端とし、右方から左方になるにしたがってドットの密度を連続的に粗として徐々（連続的）に明るさが少なく（暗く）なるようにする。
この意匠部３のグラデーション印刷部４に対応した反射部材５は、図１における紙面の上下方向と平行に中心軸を有する円筒曲面形状の凸曲面の反射曲面で構成する。
また、中ケース６で形成された照明室７は、右端から左方の中間までは開口部８とされて透過照明用の光源２の光が直接グラデーション印刷部４の濃淡の明るい箇所（第１箇所）４ａに照射されるようにする。一方、照明室７の中間から左端までの部分に反射部材５を設ける。
これにより、すでに説明した実施形態の表示装置１と同様に、意匠部３を透過照明する透過照明用光源２からの光を反射部材５によってグラデーション印刷部４の濃淡（明るさの変化）に応じた光量に調整して照射することができる。
また、グラデーション印刷部４の濃淡（明るさの変化）だけでなく、透過照明用の光源２の光量を反射部材５で調整することによってもグラデーションの濃淡（明るさの変化）を強調することができ、透過照明される意匠部３のグラデーションの明るさを簡単に変えることができる。
したがって、これまでグラデーション印刷工程のみで設計していたグラデーション印刷部４の濃淡の調整を意匠部３のグラデーション印刷部４と反射曲面を備える反射部材５とによって調整することができ、グラデーション印刷部４の設計の自由度が増大し、２つの要素を用いて設計すれば良く、設計を簡素化することができる。
【００３６】
なお、意匠部３として形成するグラデーション印刷部４の濃淡（明るさの変化）の方向は、上記２つの実施形態の上下および左右方向の組み合わせ、左右方向のみに限らず、斜め方向などに濃淡（明るさの変化）を形成するようにしても良く、どのような方向であっても良い。これらの場合には、意匠部３のグラデーション印刷部４の濃淡（明るさの変化）に対応した意匠部３に向けて凸の反射曲面の反射部材５を光源２と意匠部３との間に配置して光源２からの光量を調整すれば良い。
また、意匠部３に形成するグラデーション印刷部４は、少なくとも一方向に、第１箇所４ａの明るい箇所から第２箇所４ｂの暗い箇所に向けて徐々（連続的）に明るさを変化させることができれば、透光性のドットや遮光性のドットを印刷する場合に限らず、どのようなパターンで印刷して形成しても良い。
【００３７】
本発明の表示装置１によれば、光源２と、光源２からの光を透過することで意匠を表示する意匠部３と、を備え、意匠部３は、光源２からの光を透過する量を第１箇所４ａから第２箇所４ｂに向けて徐々に少なくし、意匠部３に向けて凸になった反射曲面５ａによって、意匠部３に到達する光の量が第１箇所４ａから第２箇所４ｂに向けて徐々に少なるように光源２からの光を意匠部３に向けて反射する反射部材５を設けたので、意匠部３の第１箇所４ａから第２箇所４ｂに向けて透過する光の量を徐々に少なくするのに加え、意匠部３に向けて凸になった反射曲面５ａを備える反射部材５によって、意匠部３に到達する光の量を第１箇所４ａから第２箇所４ｂに向けて徐々に少なるようにすることができ、意匠部３と反射部材５とで光源２からの光の透過する量を調整することができる。
これにより、透過照明される意匠部を透過する光の量を徐々に少なくすることで、明るさを簡単に変えることができる。
【００３８】
表示装置１によれば、反射部材５は、光源２と第１箇所４ａとを結ぶ直線から外れた位置に配置されているので、意匠部３の第１箇所４ａには、直接光源２からの光を照射することができ、一方、第２箇所４ｂには、反射部材５によって光源２からの光を反射させて光量を減らすように調整することができる。
【００３９】
表示装置１によれば、意匠部３は、さらに、光源２からの光を透過する量を第３箇所４ｃから第４箇所４ｄに向けて徐々に少なくし、反射部材５は、さらに、光源２からの光を透過する量を第３箇所４ｃから第４箇所４ｄに向けて徐々に少なくするようにしたので、第３箇所４ｃから第４箇所４ｄの間についても意匠部３と反射部材５とで光源２からの光の透過する量を調整することができる。
これにより、透過照明される意匠部を透過する光の量を徐々に少なくすることで、２つの方向に対しても明るさを簡単に変えることができる。
【００４０】
表示装置１によれば、反射曲面５ａ，５ｂは、円錐面と円筒面とのいずれか、又は、円錐面と円筒面との組み合わせで構成されているので、これらの反射曲面によって、意匠部３への光源２からの光の透過する量を調整することができる。
【００４１】
表示装置１によれば、光源２は、色の異なる光源を切り替え可能に構成されるので、異なる色の光源を切り替えることで、一層加飾照明の効果を増大することができ、デザイン性に優れた照明（表示）を行うことができる。
【００４２】
なお、本発明は、上記の各実施形態のように表示装置を加飾照明に用いる場合に限定されることなく、計器装置の数値や目盛りなどの指標部を意匠部として表示する場合にも広く適用することができる。
また、本発明は、上記の各実施形態に限定されることなく、種々の態様で実施することができる。
【符号の説明】
【００４３】
１        表示装置
２        光源（透過照明用光源）
３        意匠部
４        グラデーション印刷部
４ａ      第１箇所
４ｂ      第２箇所
４ｃ      第３箇所
４ｄ      第４箇所
５        反射部材
５ａ      反射曲面
５ｂ      反射曲面
６        中ケース
７        照明室
８        開口部
９        下ケース
１００    計器装置
１０      第１の計器部
１１      指針
１１ａ    回転中心部
１１ｂ    指示部
１１ｃ    指針キャップ
１２      ステッピングモータ
１２ａ    回転軸
２０      第２の計器部
２１      指針
３０      表示ディスプレイ
４０      回路基板
５０      中ケース
５１      内筒部
５２      外筒部
５３      連結部
５４      照明空間
６０      表示板
６１      開口部
７０      計器用光源
７０ａ    導光板
７１      表示板用光源
７２      指針用光源
８０      下ケース
【図１】
0006267075.tif 000002
【図２】
0006267075.tif 000003
【図３】
0006267075.tif 000004
【図４】
0006267075.tif 000005
【図５】
0006267075.tif 000006